(57)【要約】【課題】  高齢者や幼児などでも容易に扱うことができ、リハビリテーションなどに好適な打楽器用ばちを提供すること。【解決手段】  可撓性材料で形成され指に装着可能な指サック部２と、該指サック部２の先端部に基端が固定された接続棒部３と、該接続棒部３の先端に固定された球形状の重り部４と、を備えている。これにより、手のひらで持つのではなく、指サック部２内に指を差し込んで固定できると共に指や手を動かして先端の重り部４を、太鼓やドラム又は鍋やフライパン等に叩打することで容易に打撃音を発生させて演奏を行うことができる。【選択図】      図１
0003148990.tif 000002
【実用新案登録請求の範囲】
【請求項１】
可撓性材料で形成され指に装着可能な指サック部と、
該指サック部の先端部に基端が固定された接続棒部と、
該接続棒部の先端に固定された球形状の重り部と、を備えていることを特徴とする打楽器用ばち。
【請求項２】
請求項１に記載の打楽器用ばちにおいて、
前記重り部が、着脱可能に前記接続棒部に取り付けられていることを特徴とする打楽器用ばち。
【請求項３】
請求項１又は２に記載の打楽器用ばちにおいて、
前記指サック部に設置されていると共に前記接続棒部に接続され該接続棒部の振動を感知する振動センサ部と、
前記指サック部に設置されていると共に該振動センサ部で感知した振動に応じて音を出力するスピーカ部と、
前記指サック部に設置されていると共に前記振動センサ部と前記スピーカ部とに電力を供給する蓄電部と、を備えていることを特徴とする打楽器用ばち。
【考案の詳細な説明】
【技術分野】
【０００１】
本考案は、高齢者用や幼児用などの好適な打楽器用ばちに関する。
【背景技術】
【０００２】
一般に、太鼓やドラム等の打楽器を演奏する際には、スティック等のばちが用いられている。通常、このスティック等は、木製やプラスチック製等の棒状であって、手のひらで中間部分や基端部分を持ち、その先端部を太鼓やドラム等に叩き付けて又は打ち付けて音を発生させている。
【０００３】
例えば特許文献１には、先端に打楽器を叩打する打撃部が形成され、基端に演奏者が手で把持するグリップ部が形成された棒状の打楽器用スティックが記載されている。この打楽器用スティックでは、グリップ部に弾性体からなる屈曲部が形成され、この屈曲部によって演奏者の手首等に対する衝撃を緩衝させている。
【０００４】
【特許文献１】特開２００４−７００７１号公報
【考案の開示】
【考案が解決しようとする課題】
【０００５】
上記従来の技術には、以下の課題が残されている。
すなわち、従来の特許文献１に記載の技術等では、棒状の打楽器用スティックを手のひらで掴んで演奏を行うため、高齢者や幼児などが演奏する場合、衝撃を緩衝させていてもスティックをうまく掴めない又は演奏中に落としてしまうおそれがあり、思い通りに演奏することが難しいという不都合があった。特に、認知症等を患っている高齢者などでは、運動療法の一つとして手を使って打楽器を演奏するリハビリテーションも検討されており、従来の打楽器用ばちでは、十分なリハビリテーション効果を得ることが困難であった。
【０００６】
本考案は、前述の課題に鑑みてなされたもので、高齢者などでも容易に扱うことができ、リハビリテーションなどに好適な打楽器用ばちを提供することを目的とする。
【課題を解決するための手段】
【０００７】
本考案は、前記課題を解決するために以下の構成を採用した。すなわち、第１の考案の打楽器用ばちは、可撓性材料で形成され指に装着可能な指サック部と、該指サック部の先端部に基端が固定された接続棒部と、該接続棒部の先端に固定された球形状の重り部と、を備えていることを特徴とする。
【０００８】
この打楽器用ばちでは、指サック部の先端部に接続棒部を介して球形状の重り部が取り付けられているので、手のひらで持つのではなく、指サック部内に指を差し込んで固定できると共に指や手を動かして先端の重り部を、太鼓やドラム又は鍋やフライパン等に叩打することで容易に打撃音を発生させて演奏を行うことができる。したがって、高齢者や幼児であっても、ばちを落とすことなく簡単に演奏ができ、高いリハビリテーション効果が得られると共に気軽に演奏の楽しさを感じることができる。また、指先で演奏するため、手で掴んで操作する棒状の打楽器用スティックとは異なって、より繊細な演奏が可能になる。さらに、複数の指、特に５本指すべてに装着することで、片手で複数のばちを扱うことが可能になり、より複雑な演奏が可能になるだけでなく、各指の運動としてさらに効果的なリハビリテーションが可能になる。
【０００９】
また、第２の考案の打楽器用ばちは、前記重り部が、着脱可能に前記接続棒部に取り付けられていることを特徴とする。すなわち、この打楽器用ばちでは、重り部が、着脱可能に接続棒部に取り付けられているので、異なる重さや大きさ又は音質の重り部に容易に交換でき、音量や音質の異なる種々の打撃音を得ることが可能になる。
【００１０】
また、第３の考案の打楽器用ばちは、前記指サック部に設置されていると共に前記接続棒部に接続され該接続棒部の振動を感知する振動センサ部と、前記指サック部に設置されていると共に該振動センサ部で感知した振動に応じて音を出力するスピーカ部と、前記指サック部に設置されていると共に前記振動センサ部と前記スピーカ部とに電力を供給する蓄電部と、を備えていることを特徴とする。
【００１１】
この打楽器用ばちでは、指サック部に、振動センサ部、スピーカ部及び蓄電部が搭載されているので、重り部を叩きつけた際の打撃音だけでなく、その振動に応じた音をスピーカ部から出力することができ、単独で電子的打楽器としても機能する。例えば、打撃時の振動の大きさに応じて音階や音色を変化させて音を出力することで、メロディ的な演奏や別の効果音等の出力も可能になる。
【考案の効果】
【００１２】
本考案によれば、以下の効果を奏する。
すなわち、本考案に係る打楽器用ばちによれば、指サック部の先端部に接続棒部を介して球形状の重り部が取り付けられているので、高齢者や幼児であっても、ばちを落とすことなく簡単に演奏ができ、指の運動を伴って高いリハビリテーション効果を得ることができると共に気軽に演奏の楽しさを感じることができる。
【考案を実施するための最良の形態】
【００１３】
以下、本考案に係る打楽器用ばちの第１実施形態を、図１から図３を参照しながら説明する。
【００１４】
本実施形態の打楽器用ばち１は、図１及び図２に示すように、可撓性材料で形成され指Ｆに装着可能な指サック部２と、該指サック部２の先端部に基端が固定された接続棒部３と、該接続棒部３の先端に固定された球形状の重り部４と、を備えている。
上記指サック部２は、ゴム材等により先端が閉じた円筒形状に形成され、演奏者の指の大きさや長さ等に合わせて適宜サイズを用意することが好ましい。なお、ゴム製であれば、伸縮により種々の指サイズに適用可能である。
【００１５】
上記接続棒部３は、針金材等で形成され、指サック部２のサイズや重り部４の大きさ又は重さ等に応じて適宜長さや強度が設定される。
上記重り部４は、例えば球形状に形成された金属製又は樹脂製であり、ネジ構造などによって着脱可能に接続棒部３に取り付けられている。なお、着脱を行わない場合は、溶接等で重り部４と接続棒部３とを接続しても構わない。
【００１６】
この打楽器用ばち１は、図２に示すように、例えば人差し指に装着し、ドラムや太鼓等の専用打楽器だけでなく鍋、フライパン又は洗面器等の日用品を用いた打楽器Ｄの底などに、先端の重り部４を打ち付けて打撃音を発生させることで、演奏を行う。
また、１本の指Ｆだけでなく、複数本の指Ｆ、例えば図３に示すように、５本すべての各指Ｆに打楽器用ばち１を装着して使用しても構わない。このとき、各指Ｆの打楽器用ばち１は同一のものでも構わないが、それぞれ異なる音量又は音質で打撃音が発生する異なる重り部４の打楽器用ばち１を装着しても構わない。
【００１７】
このように本実施形態の打楽器用ばち１は、指サック部２の先端部に接続棒部３を介して球形状の重り部４が取り付けられているので、手のひらで持つのではなく、指サック部２内に指Ｆを差し込んで固定できると共に指や手を動かして先端の重り部４を、太鼓やドラム又は鍋やフライパン等に叩打することで容易に打撃音を発生させて演奏を行うことができる。
【００１８】
したがって、高齢者や幼児であっても、ばちを落とすことなく簡単に演奏ができ、高いリハビリテーション効果が得られると共に気軽に演奏の楽しさを感じることができる。また、指先で演奏するため、手で掴んで操作する棒状の打楽器用スティックとは異なって、より繊細な演奏が可能になる。さらに、複数の指、特に５本指すべてに装着することで、片手で複数の打楽器用ばち１を扱うことが可能になり、より複雑な演奏が可能になるだけでなく、各指の運動としてさらに効果的なリハビリテーションが可能になる。
また、重り部４が、着脱可能に接続棒部３に取り付けられているので、異なる重さや大きさ又は音質の重り部４に容易に交換でき、音量や音質の異なる種々の打撃音を得ることが可能になる。
【００１９】
次に、本考案に係る打楽器用ばちの第２実施形態について、以下に説明する。なお、以下の実施形態の説明において、上記実施形態において説明した同一の構成要素には同一の符号を付し、その説明は省略する。
【００２０】
第２実施形態と第１実施形態との異なる点は、第１実施形態では、重り部４を太鼓や鍋の底などに打ち付けて打撃音を発生させているのに対し、第２実施形態の打楽器用ばち２１では、図４に示すように、打撃音だけでなく、その際に重り部４に生じた振動に応じて音を発生させる機能を有している点である。
【００２１】
すなわち、第２実施形態の打楽器用ばち２１は、指サック部２に設置されていると共に接続棒部３に接続され該接続棒部３の振動を感知する振動センサ部２５と、指サック部２に設置されていると共に該振動センサ部２５で感知した振動に応じて音を出力する小型のスピーカ部２６と、指サック部２に設置されていると共に振動センサ部２５とスピーカ部２６とに電力を供給する蓄電部２７と、を備えている。
【００２２】
上記振動センサ部２５は、例えば指サック部２の先端部に設置され接続棒部３の基端が接続された圧電素子が採用される。
また、上記スピーカ部２６は、指サック部２の外周面に沿った湾曲形状を有して指サック部２の外周面に接着されており、振動センサ部２５からの振動の大きさに応じた出力に応じて予め記憶された音質又は音量で音声出力する機能を有している。
【００２３】
さらに、蓄電部２７は、指サック部２の外周面に接着されボタン電池２７ａを内蔵したものであり、指サック部２に外周面又は内部に埋め込まれて形成された配線２８によって振動センサ部２５及びスピーカ部２６に電気的に接続されている。
【００２４】
このように第２実施形態の打楽器用ばち２１では、指サック部２に、振動センサ部２５、スピーカ部２６及び蓄電部２７が搭載されているので、重り部４を叩きつけた際の打撃音だけでなく、その振動に応じた音をスピーカ部２６から出力することができ、単独で電子的打楽器としても機能する。例えば、打撃時の振動の大きさに応じて音階や音色を変化させて音を出力することで、メロディ的な演奏や別の効果音等の出力も可能になる。
【００２５】
なお、本考案の技術範囲は上記各実施形態に限定されるものではなく、本考案の趣旨を逸脱しない範囲において種々の変更を加えることが可能である。
【図面の簡単な説明】
【００２６】
【図１】本考案に係る第１実施形態の打楽器用ばちを示す斜視図である。
【図２】第１実施形態の打楽器用ばちにおいて、使用時の状態を示す斜視図である。
【図３】第１実施形態の打楽器用ばちにおいて、５本指すべてに装着した場合を示す正面図である。
【図４】本考案に係る第２実施形態の打楽器用ばちを示す斜視図である。
【符号の説明】
【００２７】
１，２１…打楽器用ばち、２…指サック部、３…接続棒部、４…重り部、２５…振動センサ部、２６…スピーカ部、２７…蓄電部、Ｄ…打楽器、Ｆ…指
【図１】
0003148990.tif 000003
【図２】
0003148990.tif 000004
【図３】
0003148990.tif 000005
【図４】
0003148990.tif 000006